(57)【要約】【課題】  色弱者が１色目の選択色に対し、最も判別性の良い２色目以降の色を容易に選択することができる画像処理装置を提供する。【解決手段】  画像処理装置２１０は、画像を形成するために使用可能な色と、その色数の色をユーザに選択させる際、第１の画像成分の色が選択された後は第２の画像成分の色以降の色の選択において使用可能な色の一部を選択不能にする判別性優先モードとを提示する画像提示部２１１と、ユーザにより判別性優先モードが選択され、第１の画像成分の色が選択されたことに応答して、第１の画像成分の色と色弱者の色の判別性に関する情報とに基づき選択不能にする色を判断し、第１の画像成分の色と選択不能にする色とを除いた色を使用可能な色として画像提示部２１１に提示させる画像形成色選択部２１２とを含む。【選択図】  図３
2011166558.tif 000002
【特許請求の範囲】
【請求項１】
入力されたカラー画像の画像データを、ユーザによって選択された色数および色からなる画像の画像データへ変換し出力する画像処理装置であって、
前記画像を形成するために使用可能な色と、前記色数の色を前記ユーザに選択させる際、第１の画像成分の色が選択された後は第２の画像成分の色以降の色の選択において前記使用可能な色の一部を選択不能にする判別性優先モードとを提示する画像提示部と、
前記ユーザにより前記判別性優先モードが選択され、前記第１の画像成分の色が選択されたことに応答して、前記第１の画像成分の色と色弱者の色の判別性に関する情報とに基づき選択不能にする色を判断し、前記第１の画像成分の色と前記選択不能にする色とを除いた色を使用可能な色として前記画像提示部に提示させる画像形成色選択部とを含む、画像処理装置。
【請求項２】
前記画像形成色選択部は、選択された前記第１の画像成分の色に対し、当該第１の画像成分の色以外の使用可能な色につき、ＣＩＥＬＡＢ表色値のａ＊成分およびｂ＊成分の差分値ΔａおよびΔｂが所定値以下であるか否かを判断し、無彩色を除く前記所定値以下である色を選択不可にする色と判断する、請求項１に記載の画像処理装置。
【請求項３】
前記画像形成色選択部は、前記第１の画像成分の色として赤または黒が選択されたことに応答して、前記第２の画像成分の色として黒または赤を選択不可にする色と判断し、赤と黒の組み合わせを選択不可にすることを特徴とする、請求項１または２に記載の画像処理装置。
【請求項４】
前記画像形成色選択部は、前記ユーザにより前記判別性優先モードが選択されたことに応答して、強調色としての赤を前記第１の画像成分の色として選択し、赤と前記色弱者の色の判別性に関する情報とに基づき前記選択不能にする色を判断し、赤と前記選択不能にする色とを除いた色を使用可能な色として画像提示部に提示させる、請求項１または２に記載の画像処理装置。
【請求項５】
前記画像形成色選択部は、前記選択不可にする色を無彩色で塗りつぶすか、非表示にするように前記画像提示部に指示する、請求項１〜４のいずれか１項に記載の画像処理装置。
【請求項６】
前記画像形成色選択部は、前記使用可能な色を前記画像提示部に提示させる際、当該色の色名と、当該色のパッチ画像と、当該色の文字からなるテキストとを提示させる、請求項１〜５のいずれか１項に記載の画像処理装置。
【請求項７】
前記色名、前記パッチ画像および前記テキストを、前記使用可能な色のうち有彩色につき、同じ明度で提示する、請求項６に記載の画像処理装置。
【請求項８】
前記画像提示部は、前記画像形成色選択部が前記第１の画像成分の色として赤を選択した場合、前記第２の画像成分の色以降の色に黒を選択することができない旨を示すメッセージまたはカラー画像の黒で示された部分を黒以外の色で示した画像を提示するとともに、前記第１の画像成分の色の再選択を提示する、請求項４に記載の画像処理装置。
【請求項９】
請求項１〜８のいずれか１項に記載の画像処理装置を含む画像印刷システム。
【請求項１０】
入力されたカラー画像の画像データを、ユーザによって選択された色数および色からなる画像の画像データへ変換し出力する画像処理装置により実行される画像処理方法であって、
前記色数の色を前記ユーザに選択させる際、第１の画像成分の色が選択された後は第２の画像成分の色以降の色の選択において前記画像を形成するために使用可能な色の一部を選択不能にする判別性優先モードを提示するモード提示ステップと、
前記判別性優先モードが選択されたことに応答して、前記使用可能な色を提示する第１色提示ステップと、
前記ユーザにより第１の画像成分の色が選択されたことに応答して、前記第１の画像成分の色と、前記画像処理装置が保持する色弱者の色の判別性に関する情報とに基づき、選択不能にする色を判断し、前記第１の画像成分の色と前記選択不能にする色とを除いた色を使用可能な色として提示する第２色提示ステップとを含む、画像処理方法。
【請求項１１】
前記第２色提示ステップでは、選択された前記第１の画像成分の色に対し、当該第１の画像成分の色以外の使用可能な色につき、ＣＩＥＬＡＢ表色値のａ＊成分およびｂ＊成分の差分値ΔａおよびΔｂが所定値以下であるか否かを判断し、無彩色を除く前記所定値以下である色を選択不可にする色と判断する、請求項１０に記載の画像処理方法。
【請求項１２】
前記第２色提示ステップでは、前記第１の画像成分の色として赤または黒が選択されたことに応答して、前記第２の画像成分の色として黒または赤を選択不可にする色と判断する、請求項１０または１１に記載の画像処理方法。
【請求項１３】
前記第２色提示ステップでは、前記ユーザにより前記判別性優先モードが選択されたことに応答して、強調色としての赤を前記第１の画像成分の色として選択し、赤と前記色弱者の色の判別性に関する情報とに基づき前記選択不能にする色を判断し、赤と前記選択不能にする色とを除いた色を使用可能な色として画像提示部に提示する、請求項１０または１１に記載の画像処理方法。
【請求項１４】
前記第２色提示ステップは、前記選択不可にする色を無彩色で塗りつぶすか、非表示にするように前記画像提示部に指示するステップを含む、請求項１０〜１３のいずれか１項に記載の画像処理方法。
【請求項１５】
前記第１色提示ステップおよび第２色提示ステップにおいて、前記使用可能な色を提示する際、当該色の色名と、当該色のパッチ画像と、当該色の文字からなるテキストとを提示する、請求項１０〜１４のいずれか１項に記載の画像処理方法。
【請求項１６】
前記色名、前記パッチ画像および前記テキストを、前記使用可能な色のうち有彩色につき、同じ明度で提示する、請求項１５に記載の画像処理方法。
【請求項１７】
前記第２の画像成分の色以降の色に黒を選択することができない旨を示すメッセージまたはカラー画像の黒で示された部分を黒以外の色で示した画像を提示するとともに、前記第１の画像成分の色の再選択を提示するステップを含む、請求項１３に記載の画像処理方法。
【請求項１８】
請求項１０〜１８のいずれか１項に記載の画像処理方法を実行するためのコンピュータ可読なプログラム。
【発明の詳細な説明】
【技術分野】
【０００１】
本発明は、複数色からなるカラー画像の画像データを、選択された色数および色からなる画像の画像データへ変換し出力する画像処理装置に関し、より詳細には、色弱者であっても色の違いが判別しやすい色を選択させ、選択された色数および色からなる画像の画像データへ変換して出力する画像処理装置、その画像処理装置を備える画像印刷システム、その画像処理装置により実行される画像処理方法およびその方法を実行するためのコンピュータ可読なプログラムに関する。
【背景技術】
【０００２】
近年、カラー画像の表示や印刷等のカラー画像出力技術が発達し、安価で提供できるようになったことから、個人や企業が作成する文書やＷｅｂページ等に、様々な色付き文字やカラー画像が用いられるようになってきた。このような文書等では、注意を促す表記やグラフのグループ分けに、色付き文字や複数の色による塗り分けをする等、色そのものに重要な情報を持たせている場合が多い。このため、これらの文書等の内容を正しく理解するためには、文字等を認識する能力に加えて、文書等に用いられている色の違いを判別する能力も要求される。
【０００３】
様々な色を用いた文書等は、通常の色覚を持った人々にとっては情報を理解させやすいものであるが、通常の色覚特性を有しない人々にとっては必ずしもそうではない。通常の色覚特性を有しない人々の中には、赤と緑の判別が難しい色覚タイプの人々が存在するが、そのような通常の色覚特性を有しない人々が赤、緑、青の３要素を使ったグラフを見ると、赤と緑の区別がしにくく、場合によっては全く区別がつかないため、青とそれ以外の２要素からなるグラフとしてしか認識することができない。
【０００４】
また、近年のカラー画像出力装置は、非常に多くの色を表現できるようになってきたため、逆に、通常の色覚を持った人々にとっても識別しづらい配色がなされてしまう場合がありうる。
【０００５】
ここで、図１に、色文字、円グラフ、写真を含むような文書の一例を示す。まず、円グラフ１００を参照すると、この円グラフ１００本体の塗り分けは、各色で示される領域の面積が比較的大きく、色同士が接していることから、その色の違いが比較的分かりやすくなっている。各領域が何の情報を示すものかを知るためには、凡例１０１と対応付ける必要があるが、その凡例１０１は、円グラフ１００の横に小さく表示され、その面積が小さいため、色同士の違いが分かりにくく、円グラフ１００本体の各領域の色との対応付けが難しいものとなっている。
【０００６】
同様に、色文字１０２についても、明朝体のような細い字体で、しかも文字サイズが小さい場合には、色文字１０２の色が非常に判別しづらい。また、複数の色同士の違いを判別するだけではなく、黒文字で記載された文章中に、強調箇所として赤文字を用いた場合は、特定の色覚特性を持った人にとって、赤が暗いグレーに見えてしまい、黒文字と赤文字との区別がつかなくなる。これは、通常の色覚を持つ一般色覚者には文章中で強調されていることが認識できるのに対し、その特定の色覚特性を持った人にとっては強調箇所が認識できず、一般色覚者よりも得られる情報が少なくなってしまう。
【０００７】
一方、写真１０３等の自然物の画像については、経験的に対象物と色名を対応付けられる場合が多く、また、色の塗り分けそのものが意味をもつものではないことが多いことから、上記のような問題が生じることは少ないと考えられる。例えば、葉は緑、人の肌は肌色、海や空は青等、経験的に対象物と色名とが結びつけられるからである。
【０００８】
ところで、近年、通常の色覚特性を有しない人について、Ｃ(Common)型、Ｐ(Protanope)型（強度と弱度）（赤緑色弱に相当）、Ｄ(Deuteranope)型（強度と弱度）（赤緑色弱に相当）、Ｔ(Tritanope)型（黄青色弱に相当）、Ａ(Achromat)型（色の違いが明暗の差としてしか知覚できない）といった色覚特性を分類した型で呼び、Ｃ型色覚を有する人を一般色覚者、それ以外の色の認識に関して弱い部分がある人を色弱者と呼ぶことを提唱している（例えば、非特許文献１参照）。
【０００９】
従来、印刷分野等において、色を用いたデザインを行う場合に、色弱者であっても色の違いが分かるように、表示画面上にカラーパレットを表示し、ユーザが使用する色を選択すると、カラーパレット上の他の色で、選択した色と色弱者が認識する色の色差が所定値以下である色に「×」を表示し、それらの色を選択することができないようにすることで、色弱者に対して判別しやすい色でのデザインを可能にする色見本選択装置が提案されている（例えば、特許文献１参照）。
【発明の概要】
【発明が解決しようとする課題】
【００１０】
ところで、コピー機能、スキャナ機能、印刷機能、ＦＡＸ機能等の複数の機能を有するＭＦＰ(Multi Function Peripheral)やカラープリンタの中には、入力されたカラー画像の画像データを、ユーザが選択した色の組み合わせ、例えば「赤と黒」から構成される画像の画像データへ変換し、印刷出力する２色印刷機能を有するものが存在する。
【００１１】
この２色印刷機能を有するＭＦＰやカラープリンタは、ユーザが、カラー画像中の特定の色を印刷するためにベース色として１色目の色を選択し、それ以外の色を印刷するために１色目の色以外の２色目の色を選択すると、カラー画像中の特定の色に対しては１色目に選択された色に近い色相の色で印刷し、それ以外の色に対しては２色目に選択された色に近い色相の色で印刷する。
【００１２】
具体的には、これらのＭＦＰやカラープリンタは、例えばユーザが、カラー画像中の青で示された箇所を黒、それ以外の色で示された箇所を赤で印刷するように選択すると、カラー画像中の青で示された箇所をすべて黒色で印刷し、青以外の赤、黄、緑、シアン、紫等で示された箇所をすべて赤色で印刷する。
【００１３】
これらのＭＦＰやカラープリンタにおいて、使用可能な色をフルカラーにしてしまうと、特定の色を印刷するために選択される１色目の色に近似した色が膨大に存在し、それ以外の色を印刷するために１色目に近似した色が選択されてしまうと、単色で再現するのとほとんど変わらなくなってしまい、２色印刷する意味がなくなってしまう。このため、互いに区別可能な色相の異なる１２色や２４色程度の色数から選択されるようになっているのが一般的である。
【００１４】
上記の特許文献１においては、印刷用の色見本のパッチを表示装置上に表示し、ユーザが色を選択しているが、表示装置上に表示される色と実際に印刷される色の色再現範囲が異なるため、表示装置上では判別できるように色を選択したとしても、実際に印刷すると色が判別しにくい場合がありうる。
【００１５】
また、上述した２色印刷機能を有するＭＦＰやカラープリンタでは、１色目および２色目の色を選択する際、表示装置と印刷物とで色再現範囲が異なるという色再現性は考慮されていない。この色再現性を無視し、ユーザが最も判別性が良いと思われる２色を選択して、実際に印刷しても色を判別することができるようにすることができるが、２色目の色として使用しようとする色の周りにも多数の色が存在し、例えば周辺が暗い色ばかりであれば対象の色は実際より明るく感じられるという、それら周辺の色との対比効果の影響も考慮しなければならず、１色目の色との色差のみを考慮して２色目の色を選択することは難しい。
【００１６】
また、２色印刷では、上述した例のように、カラー画像の青で示される箇所を黒、それ以外の色で示される箇所を赤で印刷するため、１色で多数の色相の色を出力する必要があり、それら多数の色相の色を判別し、その判別性を良くするために、明度や彩度に差を設けて表現しなければならず、１色目の色との混同を防ぐためにも２色目の色の選択が非常に重要になっている。これをユーザが判断し、２色目の色を選択するのは難しいという問題があった。
【課題を解決するための手段】
【００１７】
本発明は、上記課題に鑑みなされたものであり、上記課題は、入力されたカラー画像の画像データを、選択された色数および色で印刷する場合に、色弱者であるユーザが、１色目の選択色に対し、最も判別性が良い２色目以降の色を容易に選択することができ、それら選択した色で印刷することができる画像処理装置を提供することにより解決することができる。
【００１８】
具体的には、この画像処理装置は、入力されたカラー画像の画像データを、ユーザによって選択された色数および色からなる画像の画像データへ変換し出力する装置であって、画像を形成するために使用可能な色と、その色数の色をユーザに選択させる際、第１の画像成分の色が選択された後は第２の画像成分の色以降の色の選択において使用可能な色の一部を選択不能にする判別性優先モードとを提示する画像提示部と、ユーザにより判別性優先モードが選択され、第１の画像成分の色が選択されたことに応答して、第１の画像成分の色と色弱者の色の判別性に関する情報とに基づき選択不能にする色を判断し、第１の画像成分の色と選択不能にする色とを除いた色を使用可能な色として画像提示部に提示させる画像形成色選択部とを含む。
【００１９】
このような構成を採用し、ユーザが１色目の色として選択した色と、色弱者の色覚特性とを考慮し、選択可能な２色目の候補を限定することにより、ユーザが選択可能な色を見比べる際、周辺にある不要な色の影響を抑制し、より容易に判別性の良い２色目以降の色を選択することが可能となる。
【００２０】
画像形成色選択部は、選択された第１の画像成分の色に対し、その第１の画像成分の色以外の使用可能な色につき、ＣＩＥＬＡＢ表色値のａ＊成分およびｂ＊成分の差分値ΔａおよびΔｂが所定値以下であるか否かを判断し、無彩色を除く所定値以下である色を選択不可にする色と判断する。
【００２１】
ＣＩＥＬＡＢは、国際照明委員会（CIE）が策定した色空間であり、人間の目で知覚される色を記述し、機器固有モデルの基準として利用できるようにしたものである。このＣＩＥＬＡＢでは、色の明度を表すＬ＊と、マゼンタと緑の間の位置を表すａ＊と、黄と青の間の位置を表すｂ＊との３つの座標で色を示している。このため、ユーザが初めに選択した第１の画像成分の色と、それ以外の使用可能な色との間のａ＊成分およびｂ＊成分の差分値ΔａおよびΔｂをそれぞれ求め、判別性が低い差分値が所定値以下の色を選択不可にすることで、ユーザが選択可能な色を見比べる際、周辺にある不要な色の影響を抑制し、より容易に判別性の良い２色目以降の色を選択することができる。
【００２２】
また、画像形成色選択部は、第１の画像成分の色として赤または黒が選択されたことに応答して、第２の画像成分の色として黒または赤を選択不可にする色と判断し、赤と黒の組み合わせを選択不可にすることを特徴とする。
【００２３】
ユーザが１色目の色として赤を選択した場合に、２色目として黒を選択することができないように、または、ユーザが１色目の色として黒を選択した場合に、２色目として赤を選択することができないようにすることで、ユーザがＰ型色覚を有する者であっても、そうでなくても、Ｐ型色覚を有する人を含むより多くの人が判別しやすい色の選択を実現することができる。
【００２４】
さらに、画像形成色選択部は、ユーザにより判別性優先モードが選択されたことに応答して、強調色としての赤を第１の画像成分の色として選択し、赤と色弱者の色の判別性に関する情報とに基づき選択不能にする色を判断し、赤と選択不能にする色とを除いた色を使用可能な色として画像提示部に提示させることができる。
【００２５】
強調色を先に選択することで、ベース色として黒を選択したために強調色として赤が選択できないという不都合を防止することができる。
【００２６】
また、画像形成色選択部は、選択不可にする色を無彩色で塗りつぶすか、非表示にするように画像提示部に指示することができる。これにより、ユーザは選択できないことを容易に理解することができる。
【００２７】
画像形成色選択部は、使用可能な色を画像提示部に提示させる際、その色の色名と、その色のパッチ画像と、その色の文字からなるテキストとを提示させる。
【００２８】
ユーザが実際の文書画像もしくはより色の判別性が悪い文書画像を想定したテキストやパッチ画像を見ながら使用する色を選択することができるため、色の判別ができる色を選択したはずが、実際に出力した出力物上では判別することができなくなっているといったことを防止することができ、より確実に判別性の高い出力結果を得ることができる。
【００２９】
上記の色名、パッチ画像およびテキストは、すべての使用可能な色のうち有彩色につき、同じ明度で提示される。これにより、色相のみで判別性が良くなる色を選択することが可能となる。
【００３０】
画像提示部は、画像形成色選択部が第１の画像成分の色として赤を選択した場合、第２の画像成分の色以降の色に黒を選択することができない旨を示すメッセージまたはカラー画像の黒で示された部分を黒以外の色で示した画像を提示するとともに、第１の画像成分の色の再選択を提示することができる。
【００３１】
２色目として黒を選択することができない場合に、その旨を通知する表示を行い、また、黒で示された部分を黒以外で再現したサンプルを予め表示することで、入力されたカラー画像の黒で示された部分に色が付いてしまうことによりユーザに与える違和感を抑制することができる。
【００３２】
本発明は、上記の画像処理装置のほか、この画像処理装置を備える画像印刷システム、この画像処理装置により実行される画像処理方法およびその方法を実行するためのコンピュータ可読なプログラムを提供することも可能である。
【図面の簡単な説明】
【００３３】
【図１】色文字、円グラフ、写真を含むような文書の一例を示した図。
【図２】本発明の画像処理装置を含む画像印刷システムの一例として示したＭＦＰの外観図。
【図３】ＭＦＰが備える画像処理装置を含む画像出力システムの構成を示したブロック図。
【図４】画像処理装置が備える画像提示部が色数を提示した画面を例示した図。
【図５】画像提示部が判別性優先モードを提示した画面を例示した図。
【図６】画像提示部が使用可能な色を提示した画面を例示した図。
【図７】選択された第１の画像成分の色に対し、その第１の画像成分の色以外の使用可能な色につき、ＣＩＥＬＡＢ表色値のａ＊成分およびｂ＊成分の差分値ΔａおよびΔｂを計算するために使用するテーブルを示した図。
【図８】第１の画像成分の色が選択された後の画面の一例を示した図。
【図９】第１の画像成分の色が選択された後の画面の別の例を示した図。
【図１０】１色目に赤が選択された後の画面の一例を示した図。
【図１１】１色目に赤が選択され、２色目に黒以外の色が選択された場合に表示されるサンプル画像を例示した図。
【図１２】画像処理装置により実行される画像処理の流れの一例を示したフロー図。
【発明を実施するための形態】
【００３４】
図２は、本発明の画像処理装置を含む画像印刷システムの一例として示したＭＦＰの外観図である。このＭＦＰ２００は、コピー機能、プリンタ機能、ＦＡＸ機能、スキャナ機能等を備え、それらの機能を実施するために、指示や入力を行うための操作ボタン２０１、操作パネル２０２を備えている。
【００３５】
操作ボタン２０１には、コピー等の動作を開始させるスタートボタン、コピー枚数等を指定するテンキー、複数の機能から目的の機能を選択する機能選択ボタン等が存在する。操作パネル２０２は、ユーザへ機器の状態を提示したり、多種の機能に関する設定をユーザが行うことができるようにボタン表示する。
【００３６】
操作パネル２０２は、例えば、タッチパネルカラー液晶モニタが用いられ、ユーザへ情報の提示を行うともに、ユーザが指やスタイラスペン等で触れることで、操作の指示を与えることができるようになっている。
【００３７】
また、ＭＦＰ２００は、ネットワークインタフェースを備えており、ネットワーク経由で接続されたＰＣ等の表示装置上に、ユーザへ情報提示を行うとともに、ユーザがＰＣの入力装置を用いて操作指示を与えることができる。
【００３８】
ＭＦＰ２００は、図３に示すように、ネットワークインタフェース２０３、原稿を読み取り、画像データとして出力する画像読み取り部２０４を備えており、インタフェースを介して画像データ等の情報を記録する情報記録媒体２０５と接続されている。また、ＭＦＰ２００は、上記の操作パネル２０２、ＣＰＵ、メモリ、ＨＤＤ、画像処理を制御するための特定用途向けＩＣであるＡＳＩＣ、画像形成用のデータに基づき画像を印刷出力するプリンタエンジン等のハードウェアから構成される画像出力システム２０６をさらに備えている。
【００３９】
画像出力システム２０６は、ネットワークインタフェース２０３により図示しないネットワークを介して受信された画像データや、画像読み取り部２０４により読み取り出力された画像データや、情報記録媒体２０５から読み出した画像データを、入力画像データとして受け付け、その画像データを画像形成用のデータへ変換し、紙等の出力媒体上に画像を形成し出力する。
【００４０】
画像出力システム２０６は、その機能により、色調整部２０７と、色変換部２０８と、画像形成部２０９と、画像処理装置２１０とに分けることができ、画像処理装置２１０は、画像提示部２１１と、画像形成色選択部２１２とを含んで構成される。
【００４１】
画像処理装置２１０が備える画像提示部２１１は、「カラー」、「モノクロ」、「２色」といった出力する画像の色数のほか、用紙の選択、原稿の種類、両面印刷するか否か、ソート印刷するか否か、パンチやステープルを行うか否か、カラー印刷するか否か、分割印刷するか否か等をユーザに提示する。また、「２色」という特定の色数が選択された場合に、「判別性優先モード」という表示をユーザに提示し、画像を形成するために使用可能な色をユーザに提示する。ここで、「判別性優先モード」は、その色数の色をユーザに選択させる際、第１の画像成分の色が選択された後は第２の画像成分の色以降の色の選択について色弱者が判別可能な色以外の色を選択不能にするモードである。
【００４２】
画像形成色選択部２１２は、ユーザにより「判別性優先モード」が選択されると、使用可能な色を画像提示部２１１に提示させ、ユーザにより１色目の第１の画像成分の色が選択されると、第１の画像成分の色と色弱者の色の判別性に関する情報に基づき選択不能にする色を判断する。そして、画像形成色選択部２１２は、第１の画像成分の色とその選択不能にする色とを除いた色を使用可能な色として画像提示部２１１に指示して提示させる。
【００４３】
ネットワークインタフェース２０３を介して、また、画像読み取り部２０４により入力された画像データ、または、情報記録媒体２０５から読み出された画像データを、印刷を行うために画像出力システム２０６が受け付けると、色調整部２０７へ入力される。色調整部２０７は、画像処理装置２１０が受け付けた第１の画像成分の色と第２の画像成分の色の２色の情報に基づき、入力された画像データに対し色調整を行う。色調整の詳細については、以下に詳述する。
【００４４】
色調整が終了した画像データは、色変換部２０８へ送られ、色変換部２０８では、色調整され補正された画像データを画像形成用のデータへ変換し、画像形成部２０９へ送る。画像形成部２０９は、その画像形成用のデータに基づき、紙等の出力媒体上に画像形成を行い、出力する。
【００４５】
図４〜図１２に示す画面、フロー図およびテーブルを参照し、画像処理装置２１０が実行する処理について詳細に説明する。図４は、画像提示部２１１および画像形成色選択部２１２を備えた操作パネル２０２を例示した図である。
【００４６】
ユーザは、まず、出力する画像の種類を選択するため、操作パネル２０２の画面内にある「カラー種類」のメニューを展開するエリアにタッチし、メニューを展開する。この時点では、判別性優先モードを表示するエリアが、ユーザに提示されていないグレーダウンして選択することができない状態になっている。ここでは、グレーダウンしているが、表示上に「×」を示し、選択できないことを明示するようにしてもよいし、完全に表示を消し、見えないようにすることもできる。
【００４７】
メニューを展開すると、図５に示すような表示となる。ユーザは、図５に示すような「カラー種類」のエリア上に展開されたメニューの中から「２色」を選択すると、画像形成色選択部２１２は、２色印刷の要求を受け付ける。すると、画像形成色選択部２１２は、画像提示部２１１に指示して「判別性優先モード」をユーザに提示させ、選択可能にさせる。ユーザは、「判別性優先モード」の表示エリアにタッチし、判別性優先モードを選択する。選択されると「判別性優先モード」の表示エリアは白黒反転し、選択されたことが明示される。
【００４８】
この判別性優先モードが選択されると、操作パネル２０２の表示は、図６に示すような「使用可能な色」の色毎のボタンが配列したものとなり、各色のボタンは、例えば、色名／英字の色文字サンプル／漢字の色文字サンプル／ひらがなの色文字サンプル／矩形パッチ等を表示したものとなる。また、画像提示部２１１が、画面上に「原稿の色のついている所に使う色（１色目）を選択してください。」と表示し、ユーザに入力を促す。そこでユーザは、原稿の色がついた部分、例えば、原稿作成者が強調意図をもって色付けしたと思われる部分に使用する色を、強調色として、その色の表示ボタンをタッチすることにより選択する。この１色目に選択した色が、第１の画像成分の色とされる。
【００４９】
ここで、各色のボタンの色名の下に表示されるサンプルについて説明する。色の違いの分かりやすさは、文字の線の太さや、塗りつぶし領域の面積が影響する。このため、サンプルとして、太い文字や、塗りつぶし領域の面積が大きいパッチ画像を提示して色を選択させると、原稿中に有彩色の明朝体等の細い文字や細線、グラフの凡例等が含まれている場合、画像形成部２０９で紙等に印刷出力した画像に、操作パネル２０２上で見るほど色の差が生じず、色の判別性があまり良くならない可能性がある。そこで、操作パネル２０２上で、色の違いが分かりにくいサンプルを用いて色を選択させることで、より判別性の良好な色を選択することができるようにする。
【００５０】
色を選択させるために、ユーザに提示する文字やパッチサンプルは、フォントについては線の細い明朝体を用い、その大きさについては文字幅もしくは高さ、略正方形のパッチ画像の横幅が概ね視角で１２分〜４５分程度にすることが好ましい。
【００５１】
ちなみに、４５分は、概ね観察距離６０ｃｍで約４ｍｍ幅に相当する。１２分は、高齢者が概ね文字が読めなくなる限界の文字サイズである。ただし、必ずしもこの範囲内にしなければならないというわけではなく、実際の原稿サイズを想定し、原稿中の文字サイズ、凡例として用いられる矩形領域のサイズと同程度であればよい。また、集約印刷機能等により、原稿よりも文字サイズが小さくなる場合もあるため、文字として読むことができる下限の大きさにすることも可能である。
【００５２】
次に、ユーザが１色目の色を選択した後、２色目の色の選択可能な色を制限することについて説明する。ここで、図７に、使用可能な色のサンプルとしてＣＩＥＬＡＢ表示色のＬ＊ａ＊ｂ＊値および各色のｓＲＧＢ空間における色相Ｈを示す。ＣＩＥＬＡＢは、国際照明委員会（CIE）が策定した色空間であり、人間の目で知覚される色を記述し、機器固有モデルの基準として利用できるようにしたものである。このＣＩＥＬＡＢでは、色の明度を表すＬ＊と、マゼンタと緑の間の位置を表すａ＊と、黄と青の間の位置を表すｂ＊との３つの座標で色を示している。
【００５３】
ｓＲＧＢ空間は、国際電気標準会議(IEC)が策定した色空間の国際標準規格で、色相Ｈは、ＨＳＬ空間換算における色相(H)である。ちなみに、ＨＳＬ色空間は、色相(H)、彩度(S)、輝度(L)の３つの成分からなる色空間である。なお、ｓＲＧＢ、ＨＳＬ値等の計算式については後述するが、図７に示すＬ＊ａ＊ｂ＊値をｓＲＧＢ値からＨＳＬ値に変換しても一致しない。
【００５４】
図７では、操作パネル２０２上に表示するためのｓＲＧＢ空間の各色の色相において、彩度が、その色相における最高彩度の半分程度とされ、明度がＬ＊ａ＊ｂ＊色空間でＬ＊＝５０程度になるように与えている。このように彩度を半分程度にしたのは、一般的に、操作パネル２０２のような液晶モニタと電子写真方式のプリンタやインクジェット方式のプリンタから出力された印刷物とでは、再現できる色の範囲が異なり、通常は液晶モニタの方が再現できる色の範囲が広いことから、ｓＲＧＢ空間の最高彩度で表現したサンプルで色を選択させ、紙媒体へ印刷すると、液晶モニタ上では色の差がはっきりしていたものが、印刷物上では色の差が小さくなってしまい、判別性が悪くなる可能性があるためである。このように彩度を半分程度にし、液晶モニタとプリンタとで共通に再現できるような色とすることで、紙媒体へ印刷した場合に色の差が広がることはあっても、縮まることがないようにしている。
【００５５】
また、明度を統一しているのは、後述する色調整において、原稿に複数色が用いられていた場合に、原稿中の色の色相の違いを表現するために、例えば明度の違いに置き換えて表現する必要があるからである。すなわち、色味（色度）の違いのみで強調色とそれ以外の色の区別がつくような色を選択させるためである。
【００５６】
例えば、図８に示すように、ユーザが１色目として青を選択した場合、画像形成色選択部２１２は、１色目が赤か否かを判定することができ、赤でないと判定された場合、図７に示すテーブルにおいて、１色目の青に対し、無彩色を除くａ＊またはｂ＊の差分値ΔａまたはΔｂが所定値、例えば２０以下の色と青自身を２色目の色として選択不能な色と判断することができる。図８に示す実施形態では、画像形成色選択部２１２が画像提示部２１１に指示し、選択不能な色と判断された色の選択ボタンをグレーダウンし、ユーザに対してその色を提示せず、選択することができないようにしている。また、図９に示すように、選択不能な色のボタン自体を非表示にし、選択することができないようにすることも可能である。
【００５７】
一般に、Ｐ型およびＤ型の色覚者は、ａ＊軸方向の色の違いが分かりにくく、Ｔ型の色覚者は、ｂ＊軸方向の色の違いが分かりにくいと言われている。そこで、ａ＊成分またはｂ＊成分の１色目の色との差が小さい色を除外し、２色目の選択肢を限定することで、ユーザにとって１色目の色との判別性の良い色を選択しやすいようにすることができる。また、実際の原稿を想定したサンプルを表示して選択するようにすることで、実際の印刷物上での判別性を考慮した選択が可能となる。
【００５８】
ここで、２色印刷に使用可能な色は、１２色程度であり、１色目の色に対し、判別がつく色を他の全ての色、すなわち１１色から選択することが可能であるが、色の見え方は、周辺環境に大きく左右されることが知られており、その一例が対比効果と呼ばれるものである。この対比効果の一例として、色相対比と呼ばれるものがあり、これは、隣り合う色によって同じ色であっても感じられる色相が変化するという現象である。
【００５９】
このような現象により、残りの色の中から、１色目との判別性の最も良い色を選択しようとしても、選択候補の色は周辺の選択できない不要な色の影響を受けて色味が変化して見えている可能性があり、判別性の最も良い色を選択する妨げとなる。そのため、色の並び順の影響を抑制するためには、既に選択された色やそれと判別しにくい色は、ユーザに提示していないことを示す色覚に影響を与えにくいニュートラルグレーや黒色で塗りつぶしたり、非表示とすることが必要である。
【００６０】
図８または図９に示すように、画像提示部２１１は、画面上に、「１色目と色の区別のつきやすい色を選択してください。」と表示し、入力を促し、これを見ることにより、ユーザは、入力することができる。このとき、ニュートラルグレーで塗りつぶされた色は選択不能にされており、ユーザは、塗りつぶされていない色の中から２色目の色を選択することができる。ここでは、例えばライトグリーンが選択されたものとする。
【００６１】
その後、ユーザが印刷を指示すると、選択された２色の情報に基づき、色調整、色変換、画像形成という処理が行われる。
【００６２】
ここで、色調整部２０７が行う色調整について詳細に説明する。色調整部２０７は、入力された画像データ（ＲＧＢ画像）とユーザが選択した色（２色）の情報を受け付けると、まず始めに、その画像データをＲＧＢからＨＳＬに変換する。ＲＧＢからＨＳＬへの変換は、次の式１により行うことができる。ＲＧＢ画像は、Ｒ、Ｇ、Ｂのそれぞれにつき０〜１の値をもつ。これらの値を式１により、角度で表記され、０〜３６０の値をもつＨ、０〜１の値をもつＳ、０〜１の値をもつＬへそれぞれ変換する。なお、下記式中、ＨＬＳは、ＨＳＬと同義である。
【００６３】
【数１】
2011166558.tif 000003
【００６４】
上記式１でＨＳＬ値に変換されたデータに対し、次の色調整を行う。まず、色相の調整について説明すると、ユーザにより選択された２色のａ＊成分とｂ＊成分のそれぞれの差を比べる。この実施形態では、青とライトグリーンが選択されているため、図７に示すテーブルからその差を求めると、ａ＊成分については２８．４、ｂ＊成分については１０７．９となり、ｂ＊成分の差のほうが大きくなる。この場合、ｂ＊成分がプラスの色相、すなわち０ｄｅｇ．≦Ｈ＜１８０ｄｅｇ．の色相の色をｂ＊成分が大きい側の色の色相、すなわちライトグリーンのＨ＝６２．３ｄｅｇ．へ調整し、ｂ＊がマイナスの色相、１８０ｄｅｇ．≦Ｈ＜３６０ｄｅｇ．の色相の色をｂ＊成分が小さい側の青のＨ＝２１８．２ｄｅｇ．へ調整する。
【００６５】
また、１色目の色、すなわち色がついている箇所に用いる色として青を選択しているため、強調色ではない無彩色は、ライトグリーンへ色相を変換する。
【００６６】
例えば、ａ＊軸方向に差の大きい２色が選択されていた場合、ａ＊成分がプラスの色相、すなわち２７０ｄｅｇ．≦Ｈ≦３６０ｄｅｇ．と、０ｄｅｇ．≦Ｈ＜９０ｄｅｇ．の範囲の色相をａ＊成分が大きい方の選択色の色相に調整し、残りの色相を他方の色の色相に調整する。そして、２色目の色として選択された色の色相に無彩色を調整する。
【００６７】
次に、彩度を調整する。彩度は、ＨＳＬ値のＳで、０〜１の値をとるものである。この彩度は、選択された２色間の判別性をより向上させるため、一律Ｓ＝１．０へ調整する。なお、２色目の色として黒が選択されている場合には、Ｓ＝０．０へ調整する。
【００６８】
最後に、明度を調整する。明度は、ＨＳＬ値のＬで、０〜１の値をとるものである。この明度は、Ｈの値によって調整を行う。０ｄｅｇ．≦Ｈ＜３０ｄｅｇ．の色の場合、一律明度をＬ＝０．１５とする。同様に、３０ｄｅｇ．≦Ｈ＜６０ｄｅｇ．の色の場合は、Ｌ＝０．３０のように、Ｈを３０ｄｅｇ．刻みで、Ｌを０．１５刻みで割り当てていく。ａ＊成分の差が大きい色を割り当てる場合も同様である。また、２色目の色として黒が選択されている場合も同様である。
【００６９】
このように色相、彩度、明度をそれぞれ調整することで、０ｄｅｇ．≦Ｈ＜３０ｄｅｇ．の色は、一律Ｈ＝６２．３ｄｅｇ．、Ｓ＝１．０、Ｌ＝０．１５へ調整され、入力された画像データ中の色相の違いが明度の違いに変換されることになる。Ｓ＝０．０である無彩色については、一律Ｈ＝２１８．２ｄｅｇ．、Ｓ＝１．０、Ｌ＝０．５へ調整される。
【００７０】
このような色相範囲毎の一律な調整により、わずかな明度差や色相角差は失われるものの、色相角が異なる色で塗り分けられたようなグラフは、色の判別がしやすくなる。
【００７１】
以上のような調整を行った後、次の式２を用いてＨＳＬ値からＲＧＢ値へ逆変換を行い、次に色変換部２０８が、ＲＧＢ値から画像形成用のデータ、例えばＣＭＹＫ値へ変換を行い、そして、画像形成部２０９が、出力媒体へ画像形成を行い、出力する。
【００７２】
【数２】
2011166558.tif 000004
【００７３】
色変換部２０８は、ｓＲＧＢ空間から色相角一定、明度一定となるような変換テーブルを予め用意しておき、この変換テーブルを用いて変換を行うことができる。また、この変換テーブルに限られるものではなく、これまでに知られたいかなる式をも使用して変換を行うことも可能である。
【００７４】
これまでに説明してきたように、ユーザが２色印刷に用いる色を選択する際、１色目の色として選択した色に応じて２色目の色の候補を限定するため、ユーザは、容易に判別性の良い２色を選択することができ、また、それに応じた判別性の良い画像出力物を得ることができる。
【００７５】
上記の実施形態では、ユーザが２色を選択し、画像出力する流れを説明してきたが、必ずしも２色である必要はなく、判別可能であれば、３色、４色と、色数を増やしていくことも可能である。ただし、２色印刷は、印刷コストを低減することを目的としている場合が多く、４色、５色と色数を増やすと、２色印刷のときのように、色数を限定した意義が薄れてしまう。
【００７６】
上記の実施形態では、１色目に赤を選択し、２色目に黒を選択することができ、それら２色を用いて画像出力することができた。これは、１色目の赤に対し、Δａ＊やΔｂ＊が小さい色を２色目の候補から除外するのであるが、黒は、Δａ＊やΔｂ＊が比較的大きく、２色目の候補から除外されないためである。一般的に、Ｐ型の色覚者は、赤が暗く沈んで見え、たとえ黒とのΔａ＊やΔｂ＊が比較的大きくても、色弱者にとっては知覚される明度差ΔＬ＊が非常に小さくなり、黒との区別がつきにくいとされている。また、円グラフ等のように大きな領域を塗りつぶしている色の違いの判別性に比べると、明朝体のような細い線からなる字体では、色の判別はよりしにくくなる。
【００７７】
特に、赤は、強調色として用いられることが多く、重要度が高いものである。ユーザがＰ型の色覚者でなかったとしても、Ｐ型の色覚者の割合は、色弱者の中でも比較的多く、画像出力した出力物をＰ型の色覚者が目にする可能性は高い。このことから、赤と黒を同時に使用しないことが色覚特性の多様性の観点から望ましい。
【００７８】
そこで、赤と黒を同時に使用しないように、１色目に赤が選択された場合、２色目に黒を選択不能にする。具体的には、図１０に示すように、ユーザが２色印刷を選択し、判別性優先モードを選択し、１色目の色として赤を選択するものとする。すると、画像形成色選択部２１２は、１色目が赤であるか否かを判定し、赤である場合、赤以外の各色につきａ＊成分およびｂ＊成分の差分値Δａ＊およびΔｂ＊が所定値以下であるか否かを判断し、所定値以下である色を選択不能にする色と判断する。そして、無彩色である黒も選択不能にする色と判断する。
【００７９】
強調色として赤を選択すると、この実施形態では２色目に黒を選択することができないので、一般的な文書画像における黒文字が色付き文字で再現され、ユーザが違和感を覚える可能性がある。このため、図１０に示すように、１色目に赤を選択したことで、２色目に黒を選択できない旨を操作パネル２０２上に表示することができる。さらに、１色目の色を再選択するための操作ボタンを用意しておき、ユーザに１色目の色を赤以外に再選択させるようにしてもよい。
【００８０】
また、ユーザが２色目の色を選択した後、図１１に示すように、赤とそれ以外の２色からなるサンプル画像を表示するようにしてもよい。サンプル画像は、入力された画像データに基づくプレビュー画像であってもよいが、原稿の黒文字が色付き文字で出力されることがわかればよく、画像出力システム２０６に接続された情報記録媒体２０５に予め記憶しておいたサンプル画像やサムネイル画像を用いてもよい。
【００８１】
上記では１色目の色に赤を選択する場合、ユーザが選択しているが、画像形成色選択部２１２が１色目として赤を自動的に選択することも可能である。この場合も同様に、赤と黒、ａ＊成分およびｂ＊成分の差分値Δａ＊およびΔｂ＊が所定値以下である色を選択不能にする色と判断し、２色目の色としてこれらの色を選択することができないようにすることができる。
【００８２】
この実施形態では、１色目に赤が選択された場合に、２色目として黒を選択できないようにしているので、ユーザがＰ型の色覚者でない場合でも、Ｐ型の色覚者を含めた、より多くの人にとって判別性が良くなるような２色を選択し、画像出力することができる。また、２色目の色として黒を選択することができない旨を表示したり、サンプル画像を表示したりすることにより、ユーザに与える黒文字が使用できないことの違和感を軽減することができる。
【００８３】
次に、画像処理装置２１０において実行される画像処理方法について、図１２に示すフロー図を参照して説明する。まず、ステップ１２００からその処理を開始し、ステップ１２１０で、操作パネル２０２上に、画像提示部２１１が２色印刷モードを選択させるためのメニューを提示し、ユーザが２色印刷モードを選択したことに応答して、画像形成色選択部２１２が、ステップ１２２０で、画像提示部２１１に指示し、判別性優先モードを提示させる。
【００８４】
ユーザが判別性優先モードを選択すると、ステップ１２３０で、画像提示部２１１は、使用可能な色を提示し、ユーザが１色目の色を選択したことに応答して、画像形成色選択部２１２は、ステップ１２４０において、まず、１色目に赤が選択されたか判断する。これは、２色目に黒を提示させないようにするためである。
【００８５】
ステップ１２４０で赤が選択されたと判断した場合、ステップ１２５０へ進み、１色目の赤と、黒と、差分値Δａ＊およびΔｂ＊が所定値以下の色を選択不能にする色と判断し、それらの色をユーザに提示しないように画像提示部２１１に指示する。画像提示部２１１は、これを受けて、それらの色をグレーダウンする等して、ユーザに選択させないようにする。
【００８６】
次に、ステップ１２６０で、ユーザが選択した２色目の色を受け付ける。そして、ステップ１２７０で、サンプル画像として、赤と２色目の色からなる画像をユーザに提示する。ユーザへの提示は、例えば操作パネル２０２上にそれら２色からなる画像を表示することにより行うことができる。
【００８７】
一方、ステップ１２４０で１色目の色が赤でない場合、ステップ１２８０へ進み、１色目の色と、差分値Δａ＊およびΔｂ＊が所定値以下の色を選択不能にする色と判断し、それらの色をユーザに提示しないように画像提示部２１１に指示する。画像提示部２１１は、これを受けて、それらの色をグレーダウンする等して、ユーザに選択させないようにする。
【００８８】
次に、ステップ１２９０で、ユーザが選択した２色目の色を受け付ける。その後、ステップ１３００へ進み、ユーザからの印刷指示を受け付け、印刷指示とともに２色の情報を色調整部２０７へ送り、色調整部２０７で色調整処理させ、色変換部２０８で画像形成用のデータへ変換させ、画像形成部２０９において画像形成用のデータに基づき、紙等の出力媒体上に画像形成させ、出力させて、ステップ１３１０でその処理を終了する。
【００８９】
以上に説明してきたように、ユーザが１色目の色として選択した色と、色弱者の色の判別性とを考慮して、ユーザが選択可能な２色目の色の候補を限定し、提示しないようにしているので、ユーザが選択可能な色を見比べる際、周辺の不要な色の影響を抑制し、より容易に判別性の良い２色目以降の色を選択することが可能である。
【００９０】
また、ユーザが１色目の色として赤を選択した場合に、２色目に黒を選択することができないようにすることで、ユーザがＰ型の色覚者でなくても、Ｐ型の色覚者を含むより多くの人が判別しやすい２色を選択することが可能となる。
【００９１】
また、強調色である赤を先に選択するようにすることで、ベース色として黒を選択したために強調色として赤を使用することができないという不都合を防止することができる。
【００９２】
さらに、ユーザが、実際の文書画像あるいはより色の判別性が悪い文書画像を想定した色付き文字や色パッチを見ながら使用する色を選択することができるため、操作パネル上において色の判別が可能な色を選択したはずが、出力物上では判別することができなくなっているという不都合を防止することができ、より確実に判別性の向上した出力結果を得ることができる。
【００９３】
また、２色目に黒が選択不能にされた場合、その旨を通知したり、表示したり、黒文字を色付き文字で再現したサンプル表示することで、入力された画像データの黒文字部分に色が付いてしまうことによりユーザに与える違和感を抑制することができる。
【００９４】
これまで本発明を上述した実施の形態をもって説明してきたが、本発明は上述した実施の形態に限定されるものではなく、他の実施の形態、追加、変更、削除など、当業者が想到することができる範囲内で変更することができ、いずれの態様においても本発明の作用・効果を奏する限り、本発明の範囲に含まれるものである。したがって、本発明は、上記の画像処理装置および画像処理方法のほか、画像処理装置を含む画像出力システム、この画像出力システムを含むＭＦＰ等の画像印刷システム、画像処理方法を実行するためのコンピュータ可読なプログラム、そのプログラムが記録された記録媒体も提供することができるものである。
【符号の説明】
【００９５】
１００…円グラフ、１０１…凡例、１０２…色文字、１０３…写真、２００…ＭＦＰ、２０１…操作ボタン、２０２…操作パネル、２０３…ネットワークインタフェース、２０４…画像読み取り部、２０５…情報記録媒体、２０６…画像出力システム、２０７…色調整部、２０８…色変換部、２０９…画像形成部、２１０…画像処理装置、２１１…画像提示部、２１２…画像形成色選択部
【先行技術文献】
【特許文献】
【００９６】
【特許文献１】特開２００６−３５００６６号公報
【非特許文献】
【００９７】
【非特許文献１】“色が見える仕組みと色弱者のタイプ”、[online］、２００５年、ＮＰＯ法人  カラーユニバーサルデザイン機構（ＣＵＤＯ）、[２００９年１２月１日検索]、インターネット<URL:http://www.cudo.jp/sikumi/>
【図１】
2011166558.tif 000005
【図２】
2011166558.tif 000006
【図３】
2011166558.tif 000007
【図４】
2011166558.tif 000008
【図５】
2011166558.tif 000009
【図６】
2011166558.tif 000010
【図７】
2011166558.tif 000011
【図８】
2011166558.tif 000012
【図９】
2011166558.tif 000013
【図１０】
2011166558.tif 000014
【図１１】
2011166558.tif 000015
【図１２】
2011166558.tif 000016